(57)【要約】【課題】  パーマ美容作業が容易で、且つ毛髪へのパーマネントウェーブの付与が自由に行うことのできるパーマ美容用頭髪保持具を提供する。【解決手段】  髪処理剤に対する透過機能を備えると共に、適度の可撓性を有する薄帯状本体部１１の両側縁に、１〜２ｍｍの段差の突条部１２を設けたベースシート体１と、前記ベースシート体と対応する形状で、毛髪処理剤に対する透過機能を備えると共に、適度の可撓性を有するフイルム状のカバーシート体２とからなり、頭髪Ｂを挟み込んでヘアークリップＡで止着し、所望のカール形状に巻き上げてパーマ処理を行う。【選択図】  図２
2010029348.tif 000002
【特許請求の範囲】
【請求項１】
毛髪処理剤に対する透過機能を備えると共に、適度の可撓性を有する薄帯状本体部の両側縁に、１〜２ｍｍの段差の突条部を設けたベースシート体と、前記ベースシート体と対応する形状で、毛髪処理剤に対する透過機能を備えると共に、適度の可撓性を有するフイルム状のカバーシート体とからなることを特徴とするパーマ美容用頭髪保持具。
【請求項２】
小透孔を多数穿設した部材、又はメッシュ状部材を採用してベースシート体の薄帯状本体部及びカバーシート体に、毛髪処理剤に対する透過機能を付与してなる請求項１記載のパーマ美容用頭髪保持具。
【請求項３】
ベースシート体とカバーシート体とを、伸縮性を備えた部材で形成してなる請求項１又は２記載のパーマ美容用頭髪保持具。
【請求項４】
ベースシート体の突条部とカバーシート体の対応個所に粘着機能を備えさせてなる請求項１乃至３記載のいずれかのパーマ美容用頭髪保持具。
【発明の詳細な説明】
【技術分野】
【０００１】
本発明は、所謂ヘアカーラーと称され、頭髪にパーマネントウェーブを形成するためのパーマ美容用の補助具に関するものである。
【背景技術】
【０００２】
パーマ剤（１液及び２液から成る市販の周知液剤）を使用するパーマ美容は、頭髪を所定の形状に保持させ、当該頭髪にパーマ剤を塗布・洗浄を順次行うパーマネント処理をなして、当該毛髪を所望の形状（カールの付与）とするものである。このパーマ美容において毛髪をカール形状とする手段として、従前より筒状部材（一般的にヘアカーラーと称されている）を採用し、この筒状部材に毛髪を巻きつけ固定し、パーマネント処理を施しているものである。
【０００３】
しかし筒状部材を採用した場合には、毛髪のカール形状が特定されてしまい、パーマネント処理を施した後に、美容師が更にドライヤー等の熱によるセット仕上げ処理を行う必要があった。そこで帯状の頭髪保持具が従前より提案されている。
【０００４】
例えば特許文献１（実開平１−１３８３０１号公報）には、側辺を連結して毛髪を挟み込む可撓性シートで構成すると共に、非連結側辺に止着構造を備えさせ、更に前記可撓性シートをカール状態となる形状記憶物質で形成する頭髪保持具が開示されている。
【０００５】
また特許文献２（特開２００４−２０９２３７号公報）には、筒状で、適宜数か所にカール状態を維持するメカニカルファスナーを備えた頭髪保持具が開示されている。
【０００６】
【特許文献１】実開平１−１３８３０１号公報。
【特許文献２】特開２００４−２０９２３７号公報。
【発明の開示】
【発明が解決しようとする課題】
【０００７】
特許文献１、２に記載されている頭髪保持具のように毛髪を筒状形態で保持して巻き込むと、表裏面においてズレが生じ、カールされた内側に位置する面は撓んでしまい、毛髪をきれいに保持することができない。この対策として特許文献２においては、表裏のシートにメカニカルファスナーを構成する横長の孔部を設けているが、製造上の煩雑は避けられない。
【０００８】
また前記の頭髪保持具は、パーマネント処理すべき毛髪を筒状部材に差し入れなければならなく、毛髪を整列した状態で保持具内に収納するには作業が面倒である。
【０００９】
更に前記の頭髪保持具は、カール形状の大小に対しての調整は可能であるが、さらに螺旋形状のカールや、ストレートとカールの組み合わせで形成する所謂Ｊ状カール等の綺麗なパーマネント処理等の自由度に課題がある。
【００１０】
そこで本発明は、パーマ美容作業が容易で、且つ毛髪へのパーマネントウェーブの付与が自由に行うことのできるパーマ美容用頭髪保持具を提案したものである。
【課題を解決するための手段】
【００１１】
本発明に係るパーマ美容用頭髪保持具は、毛髪処理剤に対する透過機能を備えると共に、適度の可撓性を有する薄帯状本体部の両側縁に、１〜２ｍｍの段差の突条部を設けたベースシート体と、前記ベースシート体と対応する形状で、毛髪処理剤に対する透過機能を備えると共に、適度の可撓性を有するフイルム状のカバーシート体とからなることを特徴とするものである。
【００１２】
而して所定部分（パーマ処理を必要とする範囲）の頭髪をオープン状態のベースシート体上に整列させ、カバーシート体で頭髪の露出側面を塞ぎ、適宜なクリップで頭毛根側の箇所を挟持して止着し、ベースシート体とカバーシート体とで頭髪を挟んだ状態で、カバーシート体が外側に位置するように所望のカール形状に巻き上げ、当該カール形状を維持するようにベースシート体（突条部）とカバーシート体とを適宜なクリップで挟んで止着する。
【００１３】
複数の頭髪保持具を以て、頭髪全体においてパーマネントウェーブを付与する形態に、ベースシート体とカバーシート体で所望のカール形状に形作り、所定のパーネント処理を施すものである。
【００１４】
従って頭髪を筒状部材に差し入れることなくオープン状態でベースシート体に頭髪を整列する事ができ、且つ突条部によって頭髪がはみ出すことがなく、更にカール状態に頭髪保持具を巻きこんでも表裏のズレによって生ずる撓みは、独立したベースシート体とカバーシート体で構成することで解決できる。
【００１５】
またベースシート体とカバーシート体とによる頭髪保持を、突条部とカバーシート体を挟持するクリップによって行うので、頭髪を直接圧することがなく、毛髪に不測の力が加わらない状態でパーネント処理ができる。
【００１６】
また本発明（請求項３）に係るパーマ美容用頭髪保持具は、上記のパーマ美容用頭髪保持具において、特にベースシート体とカバーシート体とを、伸縮性を備えた部材で形成してなるもので、カール形状に巻き上げた際に、表裏シートの撓みが伸縮によって吸収されると共に、カール形状をカール軸方向へ偏心させることも容易にでき、カール形状の多様性に貢献することになる。
【００１７】
更に本発明（請求項４）に係るパーマ美容用頭髪保持具は、上記のパーマ美容用頭髪保持具において、ベースシート体の突条部とカバーシート体の対応個所に粘着機能を備えさせてなるもので、ベースシート体とカバーシート体による筒状形成が確実に且つ容易に実現し、作業性を向上させる。
【発明の効果】
【００１８】
本発明の構成は上記のとおり独立部材であるベースシート体とカバーシート体で構成されたものであるから、頭髪の保持具への組み込みが容易であり、作業性が良く、またカール形状の設定を全く任意に行うことができ、パーマネントウェーブ形成の多様性が容易に実現する。さらに仕上げセットの作業を行う必要性をも最小限とし、パーマ美容の作業能率を向上させるものである。
【発明を実施するための最良の形態】
【００１９】
次に本発明の実施の形態について説明する。実施形態に示したパーマ美容用頭髪保持具は、ベースシート体１とカバーシート体２で構成される。
【００２０】
ベースシート体１は、薄帯状本体部１１と突条部１２からなり、毛髪処理剤（パーネント溶液）に対する耐性を備えた材質で形成される。
【００２１】
薄帯状本体部１１は、幅を４〜７ｃｍ程度で、長さを１５〜３０ｃｍの細幅形状の不織布やフィルム（０．２〜０．５ｍｍ程度）で形成したものであって、多数の小透孔を穿設したもの、或いはメッシュ状のシートを採用して、適宜な透過機能を備えたものである。
【００２２】
突条部１２は、薄帯状本体部１１の表面の両側縁に、薄帯状本体部１１の表面より１〜２ｍｍの段差の有するように設けたもので、後述するようにカール形状に巻き上げた際に、当該カール形状を保つ程度の保形性を備えるようにしたものである。更に突条部１２の表面には、カバーシート体２との粘着機能を備えさせてなる。
【００２３】
カバーシート体２は、ベースシート体１に対応する外形状の薄い（０．２ｍｍ以下）フイルムで形成されたもので、ベースシート体１と同様に毛髪処理剤に対する耐性、及び毛髪処理剤の透過機能を備えたものである。特にメッシュシートを採用して伸縮性を有するようにしても良い。
【００２４】
而して前記のベースシート体１とカバーシート体２を使用してパーマネント美容処理を行うには、美容で多用されているヘアークリップＡを使用するもので、頭髪Ｂにおけるパーマネントウェーブを形成する部分を、ベースシート体１の表面側上に整列させ、カバーシート体２で頭髪Ｂの露出している表面側を塞ぎ、クリップで頭毛根側の箇所を挟持して止着し、頭髪Ｂをベースシート体とカバーシート体とで形成された扁平筒状内に挟んだ状態とする。
【００２５】
次に、カバーシート体２が外側に位置するように所望のカール形状に巻き上げ、当該カール形状を維持するようにベースシート体１とカバーシート体２とをクリップＡで挟んで止着する。そして頭髪全体において所望のカール形状に形成した後、従前と同様にパーマ処理を行うものである。
【００２６】
特にこの頭髪保持具（ベースシート体１及びカバーシート体２）による頭髪Ｂのカール形状形成作業に際しては、特に頭髪をベースシート体１の露出した表面に添わせることで、頭髪が容易に整列されて、ベースシート体１及びカバーシート体２で形成される筒状内に収めることができる。
【００２７】
更に突条部１２によって頭髪がはみ出すことがなく、且つ筒状内の頭髪はしっかりと保持され、カール形状に巻き上げた場合にでも、突条部１２とカバーシート体の粘着、並びにカバーシート体の伸縮性によって、撓みやズレが生ずることがない。
【００２８】
従って図３に例示するように、強いカール形状に巻き上げることも、図４に例示するように、カール形状の巻き上げをカール軸方向にずらして巻き上げたり、更には図５に例示するように大小の異なる径でカール形状に巻き上げたりすることで、各図に示すようなウェーブを備えるようにすることができる。
【００２９】
このようにウェーブ形状を自由に選択することができ、且つカール形状としない一部（毛根側）をストレートに形成したり、或いは全部をストレートとすることも可能であり、パーマ処理後のドライヤー等の熱による仕上げセット作業を極力少なくすることができるものである。
【図面の簡単な説明】
【００３０】
【図１】本発明の実施形態の全体斜視図。
【図２】同使用状態の説明図。
【図３】同カール形状の巻き上げ説明図。
【図４】同別例図。
【図５】同別例図。
【符号の説明】
【００３１】
１      ベースシート体
１１    薄帯状本体部
１２    突条部
２      カバーシート体
Ａ      ヘアークリップ
Ｂ      頭髪
【図１】
2010029348.tif 000003
【図２】
2010029348.tif 000004
【図３】
2010029348.tif 000005
【図４】
2010029348.tif 000006
【図５】
2010029348.tif 000007